(57)【要約】【課題】無線ネットワークにおける通信品質を制御し、結果としてエンド−エンド通信の品質を制御可能な無線通信装置を提供する。【解決手段】無線ネットワークを介して複数の第１のエンド端末と通信する通信部１０２と、有線ネットワークを介して複数の第２のエンド端末と通信する通信部１０１と、複数の第２のエンド端末の各々との通信に要する時間を示す指標を上位レイヤに関するデータから取得し、第２のエンド端末に対応付けて管理する管理部１１１と、指標によって示される時間が長いほど、指標に対応する第２のエンド端末の通信相手となる第１のエンド端末との通信時間が短くなるように、複数の第１のエンド端末の各々に対する無線リソースの割り当ての優先度を決定する決定部１１２と、優先度に応じて、無線リソースの割り当てを制御する制御部１０４とを具備する。【選択図】      図２
2009302749.tif 000002
【特許請求の範囲】
【請求項１】
無線ネットワークを介して複数の第１のエンド端末から第１のデータを受信し、前記複数の第１のエンド端末に第２のデータを送信する第１の通信部と、
有線ネットワークを介して複数の第２のエンド端末に前記第１のデータを送信し、前記複数の第２のエンド端末から前記第２のデータを受信する第２の通信部と、
前記第１のデータ及び前記第２のデータから上位レイヤに関する第３のデータを抽出する抽出部と、
前記複数の第２のエンド端末の各々との通信に要する時間を示す指標を前記第３のデータから取得し、当該第２のエンド端末に対応付けて管理する管理部と、
前記指標によって示される時間が長いほど、当該指標に対応する第２のエンド端末の通信相手となる第１のエンド端末との通信時間が短くなるように、前記複数の第１のエンド端末の各々に対する無線リソースの割り当ての優先度を決定する決定部と、
前記優先度に応じて、前記無線リソースの割り当てを制御する制御部と
を具備することを特徴とする無線通信装置。
【請求項２】
前記指標は、往復遅延時間であることを特徴とする請求項１記載の無線通信装置。
【請求項３】
前記指標は、前記第３のデータに含まれる通信に要する時間を示すパラメータであることを特徴とする請求項１記載の無線通信装置。
【請求項４】
前記パラメータは、インターネットプロトコルにおけるＴＴＬの値であることを特徴とする請求項３記載の無線通信装置。
【請求項５】
前記パラメータは、インターネットプロトコルにおけるＨｏｐ  Ｌｉｍｉｔの値であることを特徴とする請求項３記載の無線通信装置。
【請求項６】
前記指標は、前記第３のデータに含まれる前記第２のエンド端末の識別子が特定の識別子に一致するか否かを示す情報であることを特徴とする請求項１記載の無線通信装置。
【請求項７】
前記制御部は、前記優先度に応じて前記複数の第１のエンド端末の各々に対するタイムスロットの割り当てを制御することを特徴とする請求項１記載の無線通信装置。
【請求項８】
前記制御部は、前記優先度に応じて前記複数の第１のエンド端末の各々に対する送信電力の割り当てを制御することを特徴とする請求項１記載の無線通信装置。
【請求項９】
前記制御部は、前記優先度に応じて前記複数の第１のエンド端末の各々に対するデータ再送の時間間隔を制御することを特徴とする請求項１記載の無線通信装置。
【請求項１０】
無線ネットワークを介して複数の第１のエンド端末から第１のデータを受信し、前記複数の第１のエンド端末に第２のデータを送信することと、
有線ネットワークを介して複数の第２のエンド端末に前記第１のデータを送信し、前記複数の第２のエンド端末から前記第２のデータを受信することと、
前記第１のデータ及び前記第２のデータから上位レイヤに関する第３のデータを抽出することと、
前記複数の第２のエンド端末の各々との通信に要する時間を示す指標を前記第３のデータから取得し、当該第２のエンド端末に対応付けて管理することと、
前記指標によって示される時間が長いほど、当該指標に対応する第２のエンド端末の通信相手となる第１のエンド端末との通信時間が短くなるように、前記複数の第１のエンド端末の各々に対する無線リソースの割り当ての優先度を決定することと、
前記優先度に応じて、前記無線リソースの割り当てを制御することと
を具備することを特徴とする無線通信方法。
【発明の詳細な説明】
【技術分野】
【０００１】
本発明は、無線ネットワークと有線ネットワークとが相互に接続された通信システムにおけるエンド−エンド通信の品質の制御に関する。
【背景技術】
【０００２】
無線ネットワークと有線ネットワークとが相互に接続された通信システムにおいて、無線ネットワークに接続されるエンド端末（便宜的に第１のエンド端末と称する）と、有線ネットワークに接続されるエンド端末（便宜的に第２のエンド端末と称する）との間の通信（即ち、エンド−エンド通信）は以下のように実現される。
【０００３】
第１のエンド端末は、無線ネットワークを介して別の無線通信装置に対してデータを送信する。上記無線通信装置は、無線ネットワーク及び有線ネットワークに接続されており、無線ネットワークを介して第１のエンド端末から受信したデータを、有線ネットワークを介して第２のエンド端末に転送する。また、上記無線通信装置は、有線ネットワークを介して第２のエンド端末から受信したデータを、無線ネットワークを介して第１のエンド端末に転送する。
【０００４】
以上のようなエンド−エンド通信の品質を制御する場合、無線ネットワーク及び有線ネットワークの夫々において制御可能な通信品質の種別及び範囲が異なる点に留意すべきである。即ち、無線ネットワーク及び有線ネットワークの夫々の性質や特徴を考慮してエンド−エンド通信の品質を制御することが望ましい。
【０００５】
特許文献１記載のＴＣＰ（Transmission Control Protocol）制御方法は、無線ネットワークと有線ネットワークとが相互に接続された無線通信システムにおいて、無線ネットワークの通信品質に基づきエンド−エンド通信の通信品質を制御している。具体的には、有線ネットワーク側のエンド端末と無線ネットワーク側のエンド端末との間でＴＣＰコネクションを形成する場合において、無線ネットワーク側のエンド端末が、当該無線ネットワークの通信品質に基づきＴＣＰのウインドウを制御し、結果としてエンド−エンド通信の品質を制御している。従って、特許文献１記載のＴＣＰ制御方法によれば、パケットロスなどのデータ誤りが生じた際に、当該データ誤りの原因が無線ネットワークの品質劣化、或いは有線ネットワークの輻輳のいずれであるかを上記品質情報に基づき判断し、不要なウインドウ制御によるスループットの低下を抑制することができる。
【特許文献１】特開２０００−２５３０９６号公報
【発明の開示】
【発明が解決しようとする課題】
【０００６】
特許文献１記載のＴＣＰ制御方法は、第１のエンド端末側でＴＣＰのウインドウを制御するものであり、無線ネットワーク及び有線ネットワークの個々における通信品質を制御するものでない。
【０００７】
また、通常、例えば無線ネットワークにおける電波のようなネットワークリソースは、複数のエンド端末の間で共有されている。従って、ネットワークリソースを共有するエンド端末の個数、各エンド端末が要求するエンド−エンド通信の品質、各エンド端末の通信環境及び通信品質等、様々な要因によってエンド−エンド通信の品質は影響を受ける。上記様々な要因による影響を考慮してエンド−エンド通信の品質を制御することは有用である一方で困難でもある。特に、無線ネットワークにおける通信品質は、上記様々な要因によって大きく変動することが知られている。
【０００８】
従って、本発明は、無線ネットワークにおける通信品質を制御し、結果としてエンド−エンド通信の品質を制御可能な無線通信装置を提供することを目的とする。
【課題を解決するための手段】
【０００９】
本発明の一態様に係る無線通信装置は、無線ネットワークを介して複数の第１のエンド端末から第１のデータを受信し、前記複数の第１のエンド端末に第２のデータを送信する第１の通信部と、有線ネットワークを介して複数の第２のエンド端末に前記第１のデータを送信し、前記複数の第２のエンド端末から前記第２のデータを受信する第２の通信部と、前記第１のデータ及び前記第２のデータから上位レイヤに関する第３のデータを抽出する抽出部と、前記複数の第２のエンド端末の各々との通信に要する時間を示す指標を前記第３のデータから取得し、当該第２のエンド端末に対応付けて管理する管理部と、前記指標によって示される時間が長いほど、当該指標に対応する第２のエンド端末の通信相手となる第１のエンド端末との通信時間が短くなるように、前記複数の第１のエンド端末の各々に対する無線リソースの割り当ての優先度を決定する決定部と、前記優先度に応じて、前記無線リソースの割り当てを制御する制御部とを具備する。
【発明の効果】
【００１０】
本発明によれば、無線ネットワークにおける通信品質を制御し、結果としてエンド−エンド通信の品質を制御可能な無線通信装置を提供できる。
【発明を実施するための最良の形態】
【００１１】
以下、図面を参照して、本発明の実施形態について説明する。  
（第１の実施形態）  
図１に示すように、本発明の第１の実施形態に係る第１の無線通信装置（ＡＰ）は、複数の第２の無線通信装置（ＭＳ＿Ａ、ＭＳ＿Ｂ及びＭＳ＿Ｃ）と無線ネットワークを介して接続され、複数の通信装置（ＣＥ＿１、ＣＥ＿２及びＣＥ＿３）と有線ネットワークを介して接続されている。尚、より具体的には、図１において第１の無線通信装置（ＡＰ）は、通信装置（ＣＥ１）と第１の有線ネットワークを介して接続され、通信装置（ＣＥ＿２及びＣＥ＿３）と第１の有線ネットワーク及び第２の有線ネットワークを介して接続されている。第２の無線通信装置及び通信装置は共にエンド端末であって、任意の組み合わせでエンド−エンド通信を行う。第１の無線通信装置（ＡＰ）は、例えばアクセス・ポイントであるが、これに限られない。また、第２の無線通信装置（ＭＳ＿Ａ、ＭＳ＿Ｂ及びＭＳ＿Ｃ）は、例えば移動局であるが、これに限られない。尚、図１は本実施形態に係る第１の無線通信装置を含む通信システムの１つを例示しているに過ぎず、第２の無線通信装置及び通信装置の数は任意である。
【００１２】
図２に示すように、本実施形態に係る第１の無線通信装置は、有線ネットワークＩ／Ｆ（インタフェース）１０１、無線ネットワークＩ／Ｆ１０２、データ抽出部１０３、無線リソース制御部１０４、制御パラメータ記憶部１０５及び制御部１１０を有する。
【００１３】
有線ネットワークＩ／Ｆ１０１は、例えば有線ネットワークとしての通信ケーブル網に接続され、当該通信ケーブルを介して複数の通信装置との間でデータを送受する。具体的には、有線ネットワークＩ／Ｆ１０１は、無線ネットワークＩ／Ｆ１０２から転送されたデータを、所定のフォーマットに応じたヘッダ等を付与してフレーム化し、電気信号や光信号等に変換し、通信ケーブルへ送出する。また、有線ネットワークＩ／Ｆ１０１は、通信ケーブルから入力された電気信号や光信号等をデジタル信号に変換し、デフレーム処理を行ってデータを抽出し、無線ネットワークＩ／Ｆ１０２及びデータ抽出部１０３に入力する。
【００１４】
無線ネットワークＩ／Ｆ１０２は、アンテナを介して複数の第２の無線通信装置との間でデータを送受する。具体的には、無線ネットワークＩ／Ｆ１０２は、有線ネットワークＩ／Ｆ１０１から転送されたデータを所定のフォーマットに応じたヘッダ等を付与してフレーム化し、符号化処理、変調処理並びに帯域制限及び電力増幅等の無線処理を行って、アンテナよりＲＦ信号を送信する。また、無線ネットワークＩ／Ｆは、アンテナより受信したＲＦ信号に対して帯域制限及び電力増幅等の無線処理、復調処理、復号処理並びにデフレーム処理を行ってデータを抽出し、有線ネットワークＩ／Ｆ１０１及びデータ抽出部１０３に入力する。無線ネットワークＩ／Ｆ１０２が複数の第２の無線通信装置の各々と通信を行うための無線リソースは、無線リソース制御部１０４によって制御される。
【００１５】
データ抽出部１０３は、有線ネットワークＩ／Ｆ１０１及び無線ネットワークＩ／Ｆ１０２から入力されるデータのうち、上位レイヤに関するデータを抽出する。具体的には、データ抽出部１０３は、例えばインターネットプロトコル（ＩＰ）などの上位レイヤプロトコルのヘッダ情報を抽出する。データ抽出部１０３は、抽出したデータを制御部１１０に入力する。
【００１６】
無線リソース制御部１０４は、制御部１１０から入力される優先度に基づき複数の第２の無線通信装置の各々に対して割り当てる無線リソースを制御する。尚、具体的な無線リソースの制御手法は後述する。
【００１７】
制御パラメータ記憶部１０５には、制御パラメータが記憶される。制御パラメータ記憶部１０５は、制御パラメータ管理部１１１によって管理される。制御パラメータには、エンド−エンド通信を行う第２の無線通信装置及び通信装置を識別するための情報や、当該通信装置との通信の品質（例えば、通信に要する時間）を示す指標等が含まれる。制御パラメータの詳細は後述する。
【００１８】
制御部１１０は、制御パラメータ管理部１１１及び優先度決定部１１２を含み、図１の第１の無線通信装置を構成する各部を制御する。制御パラメータ管理部１１１は、制御パラメータ記憶部１０５を管理する。具体的には、制御パラメータ管理部１１１は、制御パラメータ記憶部１０５に記憶される制御パラメータを更新したり、必要に応じて読み出したりする。尚、制御パラメータ管理部１１１が行う制御パラメータ更新処理の詳細は後述する。優先度決定部１１２は、通信装置とエンド−エンド通信を行う複数の第２の無線通信装置の各々に対する優先度を決定する。例えば、優先度決定部１１２は、複数の第２の無線通信装置を、優先度の互いに異なる複数のカテゴリのいずれかに分類する。尚、優先度決定部１１２が行う優先度決定処理の詳細は後述する。
【００１９】
以下、図３を用いて図１の第１の無線通信装置の動作を説明する。  
複数の第２の無線通信装置のいずれか１つと、複数の通信装置のいずれか１つとの間のエンド−エンド通信が開始すると、第１の無線通信装置は当該エンド−エンド通信に関する制御パラメータを制御パラメータ記憶部１０５に記憶させるべく制御パラメータ更新処理を行う。第１の無線通信装置は、上記エンド−エンド通信が他に存在しなければ、無線リソースは専有されるので、優先度決定処理及び無線リソース制御処理を行わない。一方、第１の無線通信装置は、上記エンド−エンド通信が他に存在すれば、無線リソースは共有されるので、必要に応じて優先度決定処理及び無線リソース制御処理を行う。また、上記エンド−エンド通信のいずれか１つが切断されると、第１の無線通信装置は当該エンド−エンド通信に関する制御パラメータを制御パラメータ記憶部１０５から消去させるべく制御パラメータ更新処理を行う。
【００２０】
以下、図４を用いて制御パラメータ管理部１１１による制御パラメータ更新処理を説明する。尚、図４の制御パラメータ更新処理は、新たなエンド−エンド通信の開始時または周期的に行われるものとする。
【００２１】
まず、制御パラメータ管理部１１１は、処理対象となるエンド−エンド通信を行う第２の無線通信装置及び通信装置の識別子の組み合わせをデータ抽出部１０３から入力されたデータより取得し、当該識別子の組み合わせが制御パラメータ記憶部１０５に記憶されているか否かを確認する（ステップＳ２０１）。例えば、制御パラメータ記憶部１０５には、図５Ａに示すような識別子テーブルの形式で上記識別子の組み合わせが記憶されている。ここで、識別子とは、例えばＩＰにおけるＩＰアドレス等など、第２の無線通信装置及び通信装置を一意に識別するための識別情報とする。
【００２２】
識別子の組み合わせが制御パラメータ記憶部１０５に記憶されていれば（ステップＳ２０１）、制御パラメータ管理部１１１は制御パラメータ更新処理を終了する。一方、識別子の組み合わせが制御パラメータ記憶部１０５に記憶されていなければ（ステップＳ２０１）、制御パラメータ管理部１１１は当該識別子の組み合わせを制御パラメータ記憶部１０５に記憶させる（ステップＳ２０２）。例えば、制御パラメータ管理部１１１は、前述した図５Ａの識別子テーブルに識別子の組み合わせを新たに追加する。
【００２３】
次に、制御パラメータ管理部１１１は、処理対象のエンド−エンド通信における通信装置に対応する往復遅延時間（ＲＴＴ；Round Trip Time）が、制御パラメータ記憶部１０５に記憶されているか否かを確認する（ステップＳ２０３）。例えば、制御パラメータ記憶部１０５には、図５Ｂに示すようなＲＴＴテーブルの形式で、通信装置の識別子にＲＴＴが対応付けて記憶されている。
【００２４】
通信装置に対応するＲＴＴが制御パラメータ記憶部１０５に記憶されていれば（ステップＳ２０３）、制御パラメータ管理部１１１は制御パラメータ更新処理を終了する。一方、通信装置に対応するＲＴＴが制御パラメータ記憶部１０５に記憶されていなければ（ステップＳ２０３）、制御パラメータ管理部１１１は通信装置との通信に要するＲＴＴを取得する（ステップＳ２０４）。ＲＴＴの取得には、例えばインターネット制御メッセージプロトコル（ＩＣＭＰ；Internet Control Message Protocol）等のプロトコルが用いられる。
【００２５】
次に、制御パラメータ管理部１１１は、ステップＳ２０４において取得したＲＴＴを通信装置の識別子に対応付けて制御パラメータ記憶部１０５に記憶させ（ステップＳ２０５）、制御パラメータ更新処理を終了する。例えば、制御パラメータ管理部１１１は、前述した図５ＢのＲＴＴテーブルに通信装置の識別子とＲＴＴとの組み合わせを新たに追加する。
【００２６】
以下、図６を用いて優先度決定部１１２による優先度決定処理を説明する。尚、図６の優先度決定処理は、新たなエンド−エンド通信の開始時または周期的に行われるものとする。
【００２７】
まず、優先度決定部１１２は、制御パラメータ記憶部１０５を参照して現在の処理対象の通信装置に対応するＲＴＴを取得する（ステップＳ３０１）。次に、優先度決定部１１２は、ステップＳ３０１において取得したＲＴＴと、閾値T_th1とを大小比較する（ステップＳ３０２）。ＲＴＴが閾値T_th1よりも大きければ（ステップＳ３０２）、優先度決定部１１２は現在の処理対象の通信装置とエンド−エンド通信を行っている第２の無線通信装置を第１カテゴリに分類し（ステップＳ３０６）、処理はステップＳ３０７に進む。尚、カテゴリの詳細は後述する。一方、ＲＴＴが閾値T_th1以下であれば（ステップＳ３０２）、処理はステップＳ３０３に進む。
【００２８】
ステップＳ３０３において、優先度決定部１１２は、ステップＳ３０１において取得したＲＴＴと、閾値T_th2（＜閾値T_th1）とを大小比較する。ＲＴＴが閾値T_th2よりも大きければ（ステップＳ３０３）、優先度決定部１１２は現在の処理対象の通信装置とエンド−エンド通信を行っている第２の無線通信装置を第２カテゴリに分類し（ステップＳ３０５）、処理はステップＳ３０７に進む。一方、ＲＴＴが閾値T_th2以下であれば（ステップＳ３０３）、優先度決定部１１２は現在の処理対象の通信装置とエンド−エンド通信を行っている第２の無線通信装置を第３カテゴリに分類し（ステップＳ３０４）、処理はステップＳ３０７に進む。
【００２９】
ステップＳ３０７において、全ての通信装置に関して優先度決定処理が完了していれば優先度決定処理は終了し、そうでなければ優先度決定部１１２は未処理の通信装置のいずれかを次の処理対象として任意に選択し、処理はステップＳ３０１に戻る。
【００３０】
以降の説明において、各カテゴリは第２の無線通信装置に対する無線リソース割り当ての優先度を表すものとする。具体的には、第１カテゴリの優先度が最も高く（即ち、有線ネットワークにおける通信品質が最も低く）、以下、第２カテゴリ、第３カテゴリの順に優先度が低くなる。即ち、後述する無線リソース制御処理では、第１カテゴリに属する第２の無線通信装置に対して最も優先的に無線リソースが割り当てられる。尚、カテゴリの数は３つに限られず任意の個数であってよいし、必要に応じて動的に変化してもよい。また、閾値についても同様で任意の個数であってよいし、閾値の個数または閾値そのものが動的に変化してもよい。また、第２の無線通信装置が複数の通信装置と同時にエンド−エンド通信を行っている場合には、優先度決定部１１２は当該複数の通信装置に対応するＲＴＴの最大値、最小値、平均値、中央値または最頻値などに基づきカテゴリ（優先度）を決定してよい。
【００３１】
以下、図７、図８及び図９を用いて無線リソース制御部１０４による無線リソース制御処理の具体例を説明する。  
図７において、無線リソース制御部１０４は、カテゴリの種別に応じて第２の無線通信装置にいわゆるタイムスロットを無線リソースとして割り当てている。本例では、無線リソース制御部１０４は、第１カテゴリ、第２カテゴリ及び第３カテゴリの順に、割り当てる無線リソース（タイムスロット）が少なくなるようにしている。本例は、第１の無線通信装置と第２の無線通信装置との間の通信方式が、例えば時分割多元接続（ＴＤＭＡ；Time Division Multiple Access）の場合に適している。
【００３２】
図８において、無線リソース制御部１０４は、第２の無線通信装置に符号、空間または周波数を割り当てるとともに、カテゴリの種別に応じて送信電力を割り当てている。本例では、無線リソース制御部１０４は、第１カテゴリ、第２カテゴリ及び第３カテゴリの順に、割り当てる送信電力が少なくなるようにしている。即ち、無線リソース制御部１０４の割り当て可能な全送信電力のうち、第１カテゴリに割り当てられる送信電力の割合が最も大きく、以下、第２カテゴリ及び第３カテゴリの順に割合が小さくなる。大きな送信電力を割り当てると、第２の無線通信装置における受信電力が相対的に大きくなるため、例えば６４ＱＡＭ（Quadrature Amplitude Modulation)のような高次の変調方式や符号化効率の高い符号化方式を利用することが可能となる。即ち、送信電力の割り当てにより無線ネットワークの伝送速度（通信品質）の制御が実現される。本例は、第１の無線通信装置と第２の無線通信装置との間の通信方式が、例えば符号分割多元接続（ＣＤＭＡ；Code Division Multiple Access）、空間分割多元接続（ＳＤＭＡ；Space Division Multiple Access）、周波数分割多元接続（ＦＤＭＡ；Frequency Division Multiple Access）または直交周波数分割多元接続（ＯＦＤＭＡ；Orthogonal Frequency Division Multiple Access）の場合に適している。
【００３３】
図９において、無線リソース制御部１０４は、第２の無線通信装置にいわゆるタイムスロットを無線リソースとして割り当てており、カテゴリの種別に応じてデータ再送の時間間隔を異ならせている。本例では、無線リソース制御部１０４は、第１カテゴリ、第２カテゴリ及び第３カテゴリの順にデータ再送の時間間隔が長くなるようにしている。本例は、第１の無線通信装置と第２の無線通信装置との間の通信方式が、タイムスロットに基づくものであって、かつ、データに誤りが生じた際に異なるタイムスロットを用いて再送を行う通信方式の場合に適している。
【００３４】
以上説明したように、本実施形態に係る無線通信装置は、有線ネットワークを介して接続されるエンド端末との通信の品質に基づいて、無線ネットワークを介して接続されるエンド端末に割り当てる無線リソースを制御するようにしている。従って、本実施形態に係る無線通信装置によれば、無線ネットワークにおける通信品質を制御し、結果としてエンド−エンド通信の品質を制御することができる。
【００３５】
より具体的には、本実施形態に係る無線通信装置は、有線ネットワークにおける通信品質を往復遅延時間によって予測し、当該通信品質が相対的に低い、すなわち、往復遅延時間が大きい場合には、無線ネットワークにおける通信品質が相対的に高くなるように無線リソースを制御し、結果としてエンド−エンド通信の品質を制御している。例えば、複数のエンド−エンド通信を本実施形態に係る無線通信装置が中継する場合において、各エンド−エンド通信に要する時間が平均化され、所定の範囲内に収まることが期待できる。
【００３６】
（第２の実施形態）  
本発明の第２の実施形態に係る第１の無線通信装置は、前述した第１の実施形態に係る第１の無線通信装置と制御パラメータ更新処理及び優先度決定処理が異なり、その余は同一である。以下の説明では、同一部分には同一符号を付し、異なる部分を中心に述べる。
【００３７】
以下、図１０を用いて本実施形態に係る制御パラメータ更新処理を説明する。尚、図１０の制御パラメータ更新処理は、新たなエンド−エンド通信の開始時または周期的に行われるものとする。
【００３８】
まず、制御パラメータ管理部１１１は、処理対象となるエンド−エンド通信を行う第２の無線通信装置及び通信装置の識別子の組み合わせをデータ抽出部１０３から入力されたデータより取得し、当該識別子の組み合わせが制御パラメータ記憶部１０５に記憶されているか否かを確認する（ステップＳ２１１）。例えば、制御パラメータ記憶部１０５には、図１１Ａに示すような識別子テーブルの形式で上記識別子の組み合わせが記憶されている。ここで、識別子とは、例えばＩＰにおけるＩＰアドレス等など、第２の無線通信装置及び通信装置を一意に識別するための識別情報とする。
【００３９】
識別子の組み合わせが制御パラメータ記憶部１０５に記憶されていれば（ステップＳ２１１）、制御パラメータ管理部１１１は制御パラメータ更新処理を終了する。一方、識別子の組み合わせが制御パラメータ記憶部１０５に記憶されていなければ（ステップＳ２１１）、制御パラメータ管理部１１１は当該識別子の組み合わせを制御パラメータ記憶部１０５に記憶させる（ステップＳ２１２）。例えば、制御パラメータ管理部１１１は、前述した図１１Ａの識別子テーブルに識別子の組み合わせを新たに追加する。
【００４０】
次に、制御パラメータ管理部１１１は、処理対象のエンド−エンド通信における通信装置に対応する通信時間指標が、制御パラメータ記憶部１０５に記憶されているか否かを確認する（ステップＳ２１３）。ここで、通信時間指標とは、第１の無線通信装置と上記通信装置との間の通信時間を示す指標である。具体的には、例えばＩＰｖ４（Internet Protocol version 4)において規定されパケットの生存期間を示すＴＴＬ(Time To Live)、或いはＩＰｖ６で規定され転送回数の上限を示すホップ上限（Hop Limit）などが上記通信時間指標として望ましい。通信時間指標としてＴＴＬを用いる場合、制御パラメータ記憶部１０５には、例えば図１１Ｂに示すようなＴＴＬテーブルの形式で、通信装置の識別子にＴＴＬが対応付けて記憶される。
【００４１】
通信装置に対応する通信時間指標が制御パラメータ記憶部１０５に記憶されていれば（ステップＳ２１３）、制御パラメータ管理部１１１は制御パラメータ更新処理を終了する。一方、通信装置に対応するが制御パラメータ記憶部１０５に記憶されていなければ（ステップＳ２１３）、制御パラメータ管理部１１１は通信装置との通信に要する通信時間指標を取得する（ステップＳ２１４）。例えば、通信時間指標が前述したＴＴＬまたはＨｏｐ  Ｌｉｍｉｔである場合には、ＩＰヘッダから抽出することができる。
【００４２】
次に、制御パラメータ管理部１１１は、ステップＳ２１４において取得したＴＴＬを通信装置の識別子に対応付けて制御パラメータ記憶部１０５に記憶させ（ステップＳ２１５）、制御パラメータ更新処理を終了する。例えば、制御パラメータ管理部１１１は、前述した図１１ＢのＴＴＬテーブルに通信装置の識別子とＴＴＬとの組み合わせを新たに追加する。
【００４３】
以下、図１２を用いて本実施形態に係る優先度決定処理を説明する。尚、図１２の優先度決定処理は、新たなエンド−エンド通信の開始時または周期的に行われるものとする。
【００４４】
まず、優先度決定部１１２は、制御パラメータ記憶部１０５を参照して現在の処理対象の通信装置に対応する通信時間指標（例えばＴＴＬ）を取得する（ステップＳ３１１）。次に、優先度決定部１１２は、ステップＳ３１１において取得した通信時間指標と、閾値P_th1とを大小比較する（ステップＳ３１２）。通信時間指標が閾値P_th1よりも大きければ（ステップＳ３１２）、優先度決定部１１２は現在の処理対象の通信装置とエンド−エンド通信を行っている第２の無線通信装置を第３カテゴリに分類し（ステップＳ３１６）、処理はステップＳ３１７に進む。一方、通信時間指標が閾値P_th1以下であれば（ステップＳ３１２）、処理はステップＳ３１３に進む。
【００４５】
ステップＳ３１３において、優先度決定部１１２は、ステップＳ３１１において取得した通信時間指標と、閾値P_th2（＜閾値P_th1）とを大小比較する。通信時間指標が閾値P_th2よりも大きければ（ステップＳ３１３）、優先度決定部１１２は現在の処理対象の通信装置とエンド−エンド通信を行っている第２の無線通信装置を第２カテゴリに分類し（ステップＳ３１５）、処理はステップＳ３１７に進む。一方、通信時間指標が閾値P_th2以下であれば（ステップＳ３１３）、優先度決定部１１２は現在の処理対象の通信装置とエンド−エンド通信を行っている第２の無線通信装置を第１カテゴリに分類し（ステップＳ３１４）、処理はステップＳ３１７に進む。
【００４６】
ステップＳ３１７において、全ての通信装置に関して優先度決定処理が完了していれば優先度決定処理は終了し、そうでなければ優先度決定部１１２は未処理の通信装置のいずれかを次の処理対象として任意に選択し、処理はステップＳ３１１に戻る。
【００４７】
以上説明したように、本実施形態に係る無線通信装置は、有線ネットワークを介して接続されるエンド端末との通信の品質を通信時間指標によって予測し、当該通信品質に基づいて、無線ネットワークを介して接続されるエンド端末に割り当てる無線リソースを制御するようにしている。従って、本実施形態に係る無線通信装置によれば、無線ネットワークにおける通信品質を制御し、結果としてエンド−エンド通信の品質を制御することができる。
【００４８】
（第３の実施形態）  
本発明の第３の実施形態に係る第１の無線通信装置は、前述した第２の実施形態に係る第１の無線通信装置と優先度決定処理が異なり、その余は同一である。以下の説明では、同一部分には同一符号を付し、異なる部分を中心に述べる。
【００４９】
以下、図１３を用いて本実施形態に係る優先度決定処理を説明する。尚、図１３の優先度決定処理は、新たなエンド−エンド通信の開始時または周期的に行われるものとする。
【００５０】
まず、優先度決定部１１２は、制御パラメータ記憶部１０５を参照して現在の処理対象の通信装置に対応する通信時間指標（例えばＴＴＬ）を取得する（ステップＳ３２１）。次に、優先度決定部１１２は、ステップＳ３２１において取得した通信時間指標と、閾値P_th1'とを大小比較する（ステップＳ３２２）。通信時間指標が閾値P_th1'よりも大きければ（ステップＳ３２２）、優先度決定部１１２は現在の処理対象の通信装置とエンド−エンド通信を行っている第２の無線通信装置を第２カテゴリに分類し（ステップＳ３２８）、処理はステップＳ３２９に進む。一方、通信時間指標が閾値P_th1'以下であれば（ステップＳ３２２）、処理はステップＳ３２３に進む。
【００５１】
ステップＳ３２３において、優先度決定部１１２は、ステップＳ３２１において取得した通信時間指標と、閾値P_th2'（＜閾値P_th1'）とを大小比較する。通信時間指標が閾値P_th2'よりも大きければ（ステップＳ３２３）、優先度決定部１１２は現在の処理対象の通信装置とエンド−エンド通信を行っている第２の無線通信装置を第１カテゴリに分類し（ステップＳ３２７）、処理はステップＳ３２９に進む。一方、通信時間指標が閾値P_th2'以下であれば（ステップＳ３２３）、処理はステップＳ３２４に進む。
【００５２】
ステップＳ３２４において、優先度決定部１１２は、ステップＳ３２１において取得した通信時間指標と、閾値P_th3'（＜閾値P_th2'）とを大小比較する。通信時間指標が閾値P_th3'よりも大きければ（ステップＳ３２４）、優先度決定部１１２は現在の処理対象の通信装置とエンド−エンド通信を行っている第２の無線通信装置を第２カテゴリに分類し（ステップＳ３２６）、処理はステップＳ３２９に進む。一方、通信時間指標が閾値P_th3'以下であれば（ステップＳ３２４）、優先度決定部１１２は現在の処理対象の通信装置とエンド−エンド通信を行っている第２の無線通信装置を第１カテゴリに分類し（ステップＳ３２５）、処理はステップＳ３２９に進む。
【００５３】
ステップＳ３２９において、全ての通信装置に関して優先度決定処理が完了していれば優先度決定処理は終了し、そうでなければ優先度決定部１１２は未処理の通信装置のいずれかを次の処理対象として任意に選択し、処理はステップＳ３２１に戻る。
【００５４】
以上説明したように、本実施形態に係る無線通信装置は、有線ネットワークを介して接続されるエンド端末との通信の品質を通信時間指標によって予測し、当該通信品質に基づいて、無線ネットワークを介して接続されるエンド端末に割り当てる無線リソースを制御するようにしている。従って、本実施形態に係る無線通信装置によれば、無線ネットワークにおける通信品質を制御し、結果としてエンド−エンド通信の品質を制御することができる。
【００５５】
（第４の実施形態）  
本発明の第４の実施形態に係る第１の無線通信装置は、前述した第１の実施形態に係る第１の無線通信装置と制御パラメータ更新処理及び優先度決定処理が異なり、その余は同一である。以下の説明では、同一部分には同一符号を付し、異なる部分を中心に述べる。
【００５６】
図１４に示すように、本実施形態に係る第１の無線通信装置（ＡＰ）は、複数の第２の無線通信装置（ＭＳ＿Ａ、ＭＳ＿Ｂ及びＭＳ＿Ｃ）と無線ネットワークを介して接続され、複数の通信装置（ＧＷ、ＣＥ＿１、ＣＥ＿２及びＣＥ＿３）と有線ネットワークを介して接続されている。尚、より具体的には、図１４において第１の無線通信装置（ＡＰ）は、通信装置（ＣＥ１及びＧＷ）と第１の有線ネットワークを介して接続され、通信装置（ＣＥ＿２及びＣＥ＿３）と第１の有線ネットワーク、通信装置（ＧＷ）及び第２の有線ネットワークを介して接続されている。第２の無線通信装置及び通信装置（ＣＥ１、ＣＥ２及びＣＥ３）は共にエンド端末であって、任意の組み合わせでエンド−エンド通信を行う。通信装置（ＧＷ）は、例えばゲートウェイであって第１の有線ネットワーク−第２の有線ネットワーク間におけるアドレス変換及びプロトコル変換を行うが、これに限られない。尚、図１４は本実施形態に係る第１の無線通信装置を含む通信システムの１つを例示しているに過ぎず、第２の無線通信装置及び通信装置の数は任意である
以下、図１５を用いて本実施形態に係る制御パラメータ更新処理を説明する。尚、図１５の制御パラメータ更新処理は、新たなエンド−エンド通信の開始時または周期的に行われるものとする。
【００５７】
まず、制御パラメータ管理部１１１は、処理対象となるエンド−エンド通信を行う第２の無線通信装置及び通信装置の識別子の組み合わせをデータ抽出部１０３から入力されたデータより取得し、当該識別子の組み合わせが制御パラメータ記憶部１０５に記憶されているか否かを確認する（ステップＳ２２１）。例えば、制御パラメータ記憶部１０５には、図１６Ａに示すような識別子テーブルの形式で上記識別子の組み合わせが記憶されている。ここで、識別子とは、例えばＩＰにおけるＩＰアドレス等など、第２の無線通信装置及び通信装置を一意に識別するための識別情報とする。
【００５８】
識別子の組み合わせが制御パラメータ記憶部１０５に記憶されていれば（ステップＳ２２１）、制御パラメータ管理部１１１は制御パラメータ更新処理を終了する。一方、識別子の組み合わせが制御パラメータ記憶部１０５に記憶されていなければ（ステップＳ２２１）、制御パラメータ管理部１１１は当該識別子の組み合わせを制御パラメータ記憶部１０５に記憶させる（ステップＳ２２２）。例えば、制御パラメータ管理部１１１は、前述した図１６Ａの識別子テーブルに識別子の組み合わせを新たに追加する。
【００５９】
次に、制御パラメータ管理部１１１は、処理対象のエンド−エンド通信における通信装置に対応する一致フラグが、制御パラメータ記憶部１０５において設定されているか否かを確認する（ステップＳ２２３）。ここで、一致フラグとは、第２の無線通信装置と上記通信装置の識別子が所定の範囲内の識別子と一致するか否かを示す情報であって、例えば、一致を示す場合に「１」、不一致を示す場合に「０」の値が夫々設定される。ここで、所定の範囲内の識別子とは、複数のネットワークを経由して第１の無線通信装置と通信を行う通信装置（例えば、図１４におけるＣＥ２及びＣＥ３）が存在する場合において、第１の無線通信装置が接続する有線ネットワーク（例えば、図１４における第１の有線ネットワーク）に接続する通信装置（例えば、図１４におけるＣＥ１）の識別子を示すものとする。通常、ルータやＧＷなどの転送装置を経由しない通信装置（例えば、図１４におけるＣＥ１）には、所定の範囲内のＩＰアドレスが割り当てられるため、通信装置が、第１の無線通信装置の接続する有線ネットワークに接続する通信装置であるか否かを当該通信装置に対応する一致フラグによって判別することが可能となる。第１の無線通信装置が接続する有線ネットワークに接続する通信装置（即ち、一致フラグ＝「１」）は、複数の有線ネットワークを経由して通信を行う通信装置（即ち、一致フラグ＝「０」）に比べ、通信に要する時間が短くなりやすいと想定されるから、一致フラグによって有線ネットワークを介した通信の品質を予測することができる。例えば、制御パラメータ記憶部１０５には、図１６Ｂに示すような一致フラグテーブルの形式で、通信装置の識別子に一致フラグが対応付けて記憶される。
【００６０】
通信装置に対応する一致フラグが制御パラメータ記憶部１０５に設定されていれば（ステップＳ２２３）、制御パラメータ管理部１１１は制御パラメータ更新処理を終了する。一方、通信装置に対応する一致フラグが制御パラメータ記憶部１０５に記憶されていなければ（ステップＳ２２３）、制御パラメータ管理部１１１は通信装置に対応する一致フラグを設定する。
【００６１】
即ち、通信装置の識別子が所定の範囲内の識別子と一致すれば（ステップＳ２２４）、制御パラメータ管理部１１１は当該通信装置に対応する一致フラグとして「１」を設定（ステップＳ２２５）し、処理は終了する。例えば、制御パラメータ管理部１１１は、前述した図１６Ｂの一致フラグテーブルに通信装置の識別子と一致フラグ（＝１）との組み合わせを新たに追加する。
【００６２】
一方、通信装置の識別子が所定の範囲内の識別子と一致しなければ（ステップＳ２２４）、制御パラメータ管理部１１１は当該通信装置に対応する一致フラグとして「０」を設定（ステップＳ２２６）し、処理は終了する。例えば、制御パラメータ管理部１１１は、前述した図１６Ｂの一致フラグテーブルに通信装置の識別子と一致フラグ（＝０）との組み合わせを新たに追加する。
【００６３】
以下、図１７を用いて本実施形態に係る優先度決定処理を説明する。尚、図１７の優先度決定処理は、新たなエンド−エンド通信の開始時または周期的に行われるものとする。
【００６４】
まず、優先度決定部１１２は、制御パラメータ記憶部１０５を参照して現在の処理対象の通信装置に対応する一致フラグを取得する（ステップＳ３３１）。次に、優先度決定部１１２は、ステップＳ３３１において取得した一致フラグが「１」であるか否かを確認する（ステップＳ３３２）。
【００６５】
ステップＳ３３１において取得した一致フラグが「１」であれば（ステップＳ３３２）、優先度決定部１１２は現在の処理対象の通信装置とエンド−エンド通信を行っている第２の無線通信装置を第２カテゴリに分類し、処理はステップＳ３３５に進む（ステップＳ３３４）。
【００６６】
一方、ステップＳ３３１において取得した一致フラグが「１」でない、即ち「０」であれば（ステップＳ３３３）、優先度決定部１１２は現在の処理対象の通信装置のエンド−エンド通信を行っている第２の無線通信装置を第１カテゴリに分類し、処理はステップＳ３３５に進む（ステップＳ３３３）。
【００６７】
ステップＳ３３５において、全ての通信装置に関して優先度決定処理が完了していれば優先度決定処理は終了し、そうでなければ優先度決定部１１２は未処理の通信装置のいずれかを次の処理対象として任意に選択し、処理はステップＳ３３１に戻る。
【００６８】
以上説明したように、本実施形態に係る無線通信装置は、有線ネットワークを介して接続されるエンド端末との通信の品質を一致フラグによって予測し、当該通信品質に基づいて、無線ネットワークを介して接続されるエンド端末に割り当てる無線リソースを制御するようにしている。従って、本実施形態に係る無線通信装置によれば、無線ネットワークにおける通信品質を制御し、結果としてエンド−エンド通信の品質を制御することができる。
【００６９】
（第５の実施形態）  
本発明の第５の実施形態に係る第１の無線通信装置は、前述した第４の実施形態に係る第１の無線通信装置と制御パラメータ更新処理が異なり、その余は同一である。以下の説明では、同一部分には同一符号を付し、異なる部分を中心に述べる。
【００７０】
以下、図１８を用いて本実施形態に係る制御パラメータ更新処理を説明する。尚、図１８の制御パラメータ更新処理は、新たなエンド−エンド通信の開始時または周期的に行われるものとする。
【００７１】
まず、制御パラメータ管理部１１１は、処理対象となるエンド−エンド通信を行う第２の無線通信装置及び通信装置の識別子の組み合わせをデータ抽出部１０３から入力されたデータより取得し、当該識別子の組み合わせが制御パラメータ記憶部１０５に記憶されているか否かを確認する（ステップＳ２３１）。例えば、制御パラメータ記憶部１０５には、図１９に示すような識別子／一致フラグテーブルの形式で上記識別子の組み合わせに後述する一致フラグが対応付けて記憶されている。ここで、識別子とは、例えばＩＰにおけるＩＰアドレス等など、第２の無線通信装置及び通信装置を一意に識別するための識別情報とする。
【００７２】
識別子の組み合わせが制御パラメータ記憶部１０５に記憶されていれば（ステップＳ２３１）、制御パラメータ管理部１１１は制御パラメータ更新処理を終了する。一方、識別子の組み合わせが制御パラメータ記憶部１０５に記憶されていなければ（ステップＳ２３１）、制御パラメータ管理部１１１は当該識別子の組み合わせを制御パラメータ記憶部１０５に記憶させる（ステップＳ２３２）。例えば、制御パラメータ管理部１１１は、前述した図１９の識別子／一致フラグテーブルに識別子の組み合わせ及びこれに対応する一致フラグ（初期値）を新たに追加する。
【００７３】
次に、制御パラメータ管理部１１１は、処理対象のエンド−エンド通信における通信装置に対応する一致フラグが、制御パラメータ記憶部１０５において設定されているか否かを確認する（ステップＳ２３３）。ここで、一致フラグとは、上記通信装置の識別子が所定の識別子と一致するか否かを示す情報であって、例えば、一致を示す場合に「０」、不一致を示す場合に「１」の値が夫々設定される。ここで、所定の識別子とは、図１４にて説明した通信装置（ＧＷ）の識別子を示すものとする。通常、通信装置（ＧＷ）がいわゆるプロキシ・サーバである場合、当該通信装置（ＧＷ）を経由して第１の無線通信装置に接続される全ての通信装置（例えば、図１４におけるＣＥ２及びＣＥ３）のＩＰアドレスは、当該通信装置（ＧＷ）のＩＰアドレスに変換される。従って、通信装置が上記通信装置（ＧＷ）を経由して第１の無線通信装置に接続されているか否かを当該通信装置に対応する一致フラグによって判別することが可能となる。上記通信装置（ＧＷ）を経由せずに第１の無線通信装置に接続する通信装置（即ち、一致フラグ＝「１」）は、上記通信装置（ＧＷ）を経由して第１の無線通信装置に接続する通信装置（即ち、一致フラグ＝「０」）に比べ、通信に要する時間が短くなりやすいと想定されるから、一致フラグによって有線ネットワークを介した通信の品質を予測することができる。例えば、制御パラメータ記憶部１０５には、図１９に示すような識別子／一致フラグテーブルの形式で、識別子の組み合わせに一致フラグが対応付けて記憶される。
【００７４】
通信装置に対応する一致フラグが制御パラメータ記憶部１０５に設定されていれば（ステップＳ２３３）、制御パラメータ管理部１１１は当該一致フラグ（「１」または「０」）を用いてステップＳ２３２において識別子／一致フラグテーブルの形式で記憶させた識別子の組み合わせに対応する一致フラグ（初期値）を更新し、制御パラメータ更新処理を終了する。一方、通信装置に対応するが制御パラメータ記憶部１０５に記憶されていなければ（ステップＳ２３３）、制御パラメータ管理部１１１は通信装置に対応する一致フラグを設定する。
【００７５】
即ち、通信装置の識別子が所定の識別子と一致すれば（ステップＳ２３４）、制御パラメータ管理部１１１は当該通信装置に対応する一致フラグとして「０」を設定（ステップＳ２３５）し、処理は終了する。例えば、制御パラメータ管理部１１１は、前述した図１９の識別子／一致フラグテーブルにおいて通信装置に対応する一致フラグ（初期値）を「０」に更新する。
【００７６】
一方、通信装置の識別子が所定の識別子と一致しなければ（ステップＳ２３４）、制御パラメータ管理部１１１は当該通信装置に対応する一致フラグとして「１」を設定（ステップＳ２３６）し、処理は終了する。例えば、制御パラメータ管理部１１１は、前述した図１９の識別子／一致フラグテーブルにおいて通信装置に対応する一致フラグ（初期値）を「１」に更新する。
【００７７】
以上説明したように、本実施形態に係る無線通信装置は、有線ネットワークを介して接続されるエンド端末との通信の品質を一致フラグによって予測し、当該通信品質に基づいて、無線ネットワークを介して接続されるエンド端末に割り当てる無線リソースを制御するようにしている。従って、本実施形態に係る無線通信装置によれば、無線ネットワークにおける通信品質を制御し、結果としてエンド−エンド通信の品質を制御することができる。
【００７８】
なお、本発明は上記各実施形態そのままに限定されるものではなく、実施段階ではその要旨を逸脱しない範囲で構成要素を変形して具体化できる。また上記各実施形態に開示されている複数の構成要素を適宜組み合わせることによって種々の発明を形成できる。また例えば、各実施形態に示される全構成要素からいくつかの構成要素を削除した構成も考えられる。さらに、異なる実施形態に記載した構成要素を適宜組み合わせてもよい。
【図面の簡単な説明】
【００７９】
【図１】第１の実施形態に係る第１の無線通信装置（ＡＰ）を含む無線通信システムを示すブロック図。
【図２】図１の第１の無線通信装置を示すブロック図。
【図３】図１の第１の無線通信装置の動作を示すシーケンス図。
【図４】図２の制御パラメータ管理部による制御パラメータ更新処理を示すフローチャート。
【図５Ａ】図２の制御パラメータ管理部によって管理される識別子テーブル示す図。
【図５Ｂ】図２の制御パラメータ管理部によって管理される往復遅延時間テーブルを示す図。
【図６】図２の優先度決定部による優先度決定処理を示すフローチャート。
【図７】図２の無線リソース制御部による無線リソース制御の一例の説明図。
【図８】図７の他の例の説明図。
【図９】図７及び図８の他の例の説明図。
【図１０】第２の実施形態に係る制御パラメータ更新処理を示すフローチャート。
【図１１Ａ】第２の実施形態に係る識別子テーブルを示す図。
【図１１Ｂ】第２の実施形態に係るＴＴＬテーブルを示す図。
【図１２】第２の実施形態に係る優先度決定処理を示すフローチャート。
【図１３】第３の実施形態に係る優先度決定処理を示すフローチャート。
【図１４】第４の実施形態に係る第１の無線通信装置（ＡＰ）を含む無線通信システムを示すブロック図。
【図１５】第４の実施形態に係る制御パラメータ更新処理を示すフローチャート。
【図１６Ａ】第４の実施形態に係る識別子テーブルを示す図。
【図１６Ｂ】第４の実施形態に係る一致フラグテーブルを示す図。
【図１７】第４の実施形態に係る優先度決定処理を示すフローチャート。
【図１８】第５の実施形態に係る制御パラメータ更新処理を示すフローチャート。
【図１９】第５の実施形態に係る識別子／一致フラグテーブルを示す図。
【符号の説明】
【００８０】
１０１・・・有線ネットワークＩ／Ｆ
１０２・・・無線ネットワークＩ／Ｆ
１０３・・・データ抽出部
１０４・・・制御パラメータ記憶部
１０５・・・無線リソース制御部
１１０・・・制御部
１１１・・・制御パラメータ管理部
１１２・・・優先度決定部
【図１】
2009302749.tif 000003
【図２】
2009302749.tif 000004
【図３】
2009302749.tif 000005
【図４】
2009302749.tif 000006
【図５Ａ】
2009302749.tif 000007
【図５Ｂ】
2009302749.tif 000008
【図６】
2009302749.tif 000009
【図７】
2009302749.tif 000010
【図８】
2009302749.tif 000011
【図９】
2009302749.tif 000012
【図１０】
2009302749.tif 000013
【図１１Ａ】
2009302749.tif 000014
【図１１Ｂ】
2009302749.tif 000015
【図１２】
2009302749.tif 000016
【図１３】
2009302749.tif 000017
【図１４】
2009302749.tif 000018
【図１５】
2009302749.tif 000019
【図１６Ａ】
2009302749.tif 000020
【図１６Ｂ】
2009302749.tif 000021
【図１７】
2009302749.tif 000022
【図１８】
2009302749.tif 000023
【図１９】
2009302749.tif 000024